【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
基板上に配置された複数の光源と、
前記複数の光源を共通に覆う光拡散部材と、
厚さ方向において前記光源と前記光拡散部材との間に配置されると共に面内において前記複数の光源と各々対応する領域に配置され、前記光源からの第１の波長光を第２の波長光に変換する複数の波長変換部材と
を有する発光装置。
【請求項２】
前記波長変換部材と前記光拡散部材との間に配置されると共に面内において前記複数の光源と各々対応する領域に配置され、前記波長変換部材を透過した光を反射する光反射部材をさらに有する
請求項１記載の発光装置。
【請求項３】
２以上の前記波長変換部材を繋ぐ第１の連結部材をさらに有する
請求項１または請求項２に記載の発光装置。
【請求項４】
前記波長変換部材と前記第１の連結部材とは、同じ材料からなる一体物である
請求項３記載の発光装置。
【請求項５】
前記第１の連結部材の幅は前記波長変換部材の幅よりも狭い
請求項４記載の発光装置。
【請求項６】
第１の方向に並ぶ複数の前記波長変換部材と前記第１の方向部並ぶ前記複数の波長変換部材を繋ぐ第１の連結部材とを含む波長変換ユニットが、第２の方向に複数配置されている
請求項１から請求項５のいずれか１項に記載の発光装置。
【請求項７】
厚さ方向において、前記光源と前記波長変換部材との間隔は、前記光拡散部材と前記波長変換部材との間隔よりも短い
請求項１から請求項６のいずれか１項に記載の発光装置。
【請求項８】
面内方向において前記波長変換部材の中心点が前記光源の光軸と一致すると共に下記の条件式（１）を満たす
請求項１から請求項７のいずれか１項に記載の発光装置。
｜θ１｜ ＜ Ｔａｎ-1（Ｒ１／Ｌ１）  ……（１）
ただし、
θ１：光源の出射強度が、最大ピークの６０％となる角度（光軸方向を０°とする）
Ｒ１：波長変換部材における、外接円半径と内接円半径との中間値
Ｌ１：光源と波長変換部材との厚さ方向の距離
【請求項９】
面内方向において前記光反射部材の中心点が前記光源の光軸と一致すると共に下記の条件式（２）および条件式（３）を満たす
請求項２記載の発光装置。
Ｔａｎ-1（Ｒ２／Ｌ２）＜２７°  ……（２）
Ｒ２＜Ｒ１  ……（３）
ただし
Ｒ２：光反射部材における、外接円半径と内接円半径との中間値
Ｌ２：光反射部材と光拡散部材との厚さ方向の距離
【請求項１０】
前記波長変換部材は量子ドットを含む
請求項１から請求項９のいずれか１項に記載の発光装置。
【請求項１１】
前記光源を前記光源の光軸と交差する面内において取り囲むように前記基板上に立設した壁部分を含む遮光部材を複数有する
請求項１から請求項１０のいずれか１項に記載の発光装置。
【請求項１２】
前記波長変換部材と前記遮光部材とが互いに離間している
請求項１１記載の発光装置。
【請求項１３】
前記光源と前記波長変換部材の端部とを結ぶ直線上に前記遮光部材の一部が差し掛かっている
請求項１１または請求項１２に記載の発光装置。
【請求項１４】
前記基板上に配置された反射シートをさらに有し、
前記反射シートの一部が前記遮光部材を形成している
請求項１１から請求項１３のいずれか１項に記載の発光装置。
【請求項１５】
２以上の前記遮光部材を繋ぐ第２の連結部材をさらに有する
請求項１１から請求項１４のいずれか１項に記載の発光装置。
【請求項１６】
２以上の前記波長変換部材を繋ぐ第１の連結部材をさらに有し、
前記第２の連結部材には、前記第１の連結部材を把持するクリップ部分が設けられている
請求項１５記載の発光装置。
【請求項１７】
基板上に配置された複数の光源と、
前記複数の光源を共通に覆う光拡散部材と、
厚さ方向において前記光源と前記光拡散部材との間に配置されると共に面内において前記複数の光源と各々対応する領域以外の領域に開口または切り欠きを有し、前記光源からの第１の波長光を第２の波長光に変換する波長変換部材と
を有する発光装置。
【請求項１８】
液晶パネルと、前記液晶パネルの背面側の発光装置とを備え、
前記発光装置は、
基板上に配置された複数の光源と、
前記複数の光源を共通に覆う光拡散部材と、
厚さ方向において前記光源と前記光拡散部材との間に配置されると共に面内において前記複数の光源と各々対応する領域に配置され、前記光源からの第１の波長光を第２の波長光に変換する複数の波長変換部材と
を有する
表示装置。
【請求項１９】
発光装置を備え、
前記発光装置は、
基板上に配置された複数の光源と、
前記複数の光源を共通に覆う光拡散部材と、
厚さ方向において前記光源と前記光拡散部材との間に配置されると共に面内において前記複数の光源と各々対応する領域に配置され、前記光源からの第１の波長光を第２の波長光に変換する複数の波長変換部材と
を有する
照明装置。
【手続補正２】
【補正対象書類名】明細書
【補正対象項目名】００３７
【補正方法】変更
【補正の内容】
【００３７】
＜第２の実施の形態＞
［発光装置２の構成］
図１０は、本開示の第２の実施の形態としての発光装置２における全体構成を表す斜視図である。発光装置２は、複数の波長変換部２０の代わりに一の波長変換部２０Ａを備えるようにしたことを除き、他は上記第１の実施の形態の発光装置１と同様の構成を有する。
【手続補正３】
【補正対象書類名】明細書
【補正対象項目名】００４６
【補正方法】変更
【補正の内容】
【００４６】
［発光装置３の作用効果］
このような発光装置３では、光源１０を取り囲むように立設する壁部分７１を含む遮光部材７０を複数設けるようにした。このため、光源１０からの光のうち、波長変換部２０により波長変換されずに光学シート３０へ直接入射する成分がより低減される。特に、光源１０と端部２０Ｔとを結ぶ直線ＬＢ１上に波長変換部２０の直上部分２１の一部が差し掛かるようにすれば、発光点Ｚ０から発せられて壁部分７１に遮られることなく進行する光は全て直上部分２１に入射することとなる。その場合、光源１０からの光が波長変換部２０により波長変換されずに光学シート３０へ直接入射することを確実に防止することができる。したがって、発光装置３では、面内の輝度むらや色の偏り（特に青色成分のむら）の発生をより緩和することができる。また、光源１０を取り囲む壁部分７１の内面７１Ｓは、例えば表面４０Ｓから波長変換部２０へ近づくほど光源１０から離れるように（ＸＹ平面において拡大するように）傾斜しているので、光源１０からの光の利用効率を高めることができる。
【手続補正４】
【補正対象書類名】明細書
【補正対象項目名】００４９
【補正方法】変更
【補正の内容】
【００４９】
＜第４の実施の形態＞
図１２は、本技術の第４の実施の形態に係る表示装置１０１の外観を表したものである。この表示装置１０１は、発光装置１を備え、例えば薄型テレビジョン装置として用いられるものであり、画像表示のための平板状の本体部１０２をスタンド１０３により支持した構成を有している。なお、表示装置１０１は、スタンド１０３を本体部１０２に取付けた状態で、床，棚または台などの水平面に載置して据置型として用いられるが、スタンド１０３を本体部１０２から取り外した状態で壁掛型として用いることも可能である。
【手続補正５】
【補正対象書類名】明細書
【補正対象項目名】００５２
【補正方法】変更
【補正の内容】
【００５２】
前部筐体１２１は、液晶パネル１２２の前面周縁部を覆う枠状の金属部品である。液晶パネル１２２は、例えば、液晶セル１２２Ａと、ソース基板１２２Ｂと、これらを接続するＣＯＦ（Chip On Film）などの可撓性基板１２２Ｃとを有している。枠状部材８０は、液晶パネル１２２および光学シート３０を保持する枠状の樹脂部品である。後部筐体１２４は、液晶パネル１２２および発光装置１を収容する、鉄（Ｆｅ）等よりなる金属部品である。タイミングコントローラ基板１２７もまた、後部筐体１２４の背面に実装されている。
【手続補正６】
【補正対象書類名】明細書
【補正対象項目名】００５８
【補正方法】変更
【補正の内容】
【００５８】
［適用例３］
図１６Ａおよび図１６Ｂは、上記実施の形態の表示装置１０１が適用されるデジタルカメラの外観を表したものである。図１６Ａは、そのデジタルカメラをその前方（物体側）から眺めた外観を表し、図１６Ｂは、そのデジタルカメラをその後方（像側）から眺めた外観を表す。このデジタルカメラは、例えば、フラッシュ用の発光部４１０、表示部４２０、メニュースイッチ４３０およびシャッターボタン４４０を有しており、この表示部４２０が上記実施の形態の表示装置１０１により構成されている。